(57)【要約】【課題】  底が開きにくくなり、一旦開けると、剥離片が剥離されて、開封したことを容易に目視で確認することができる紙箱を提供する。【解決手段】  前面２と背面４の底側に形成された一対の底面片９，１５に、組み立てられた状態で互いに他方側の底面片９，１５に重合する重合突部９ａ，１５ａがそれぞれ形成されてなる紙箱１において、一対の底面片９，１５の少なくとも一方側の重合突部９ａ，１５ａには、組立状態で外側より底面が押圧されて開かれた時にハーフカット線１０，１６を介して剥離される剥離片１１，１７が、重合突部９ａ，１５ａから突出形成されている。【選択図】        図１
2005320040.tif 000002
【特許請求の範囲】
【請求項１】
前面と背面の底側に形成された一対の底面片に、組み立てられた状態で互いに他方側の底面片に重合する重合突部がそれぞれ形成されてなる紙箱において、前記一対の底面片の少なくとも一方側の前記重合突部には、組立状態で外側より底面が押圧されて開かれた時に損傷を受けて変形する変形片が形成されていることを特徴とする紙箱。
【請求項２】
前記変形片が、前記重合突部からハーフカット線を介して剥離可能に突出された剥離片であることを特徴とする請求項１に記載の紙箱。
【請求項３】
前記剥離片が、一対の底面片のそれぞれの重合突部に、組み立て時に互いに係合できるように突出形成されていることを特徴とする請求項２に記載の紙箱。
【請求項４】
前記一対の剥離片の係合部位には切込み状にロック部が形成されていることを特徴とする請求項３に記載の紙箱。
【発明の詳細な説明】
【技術分野】
【０００１】
本発明は、医薬品等の包装箱となる紙箱に関するものである。
【背景技術】
【０００２】
従来、医薬品等の包装箱となる紙箱は、例えば図１０に斜視図で示すような構造となっている。
図１０の紙箱１は、前面片２の底側に底面片９が折り曲げ可能に形成され、また、背面片４の底側に底面片１５が折り曲げ可能に形成されており、底面片９には、底面片１５側へ突出した重合突部９ａが形成され、また、底面片１５には、底面片９側へ突出した重合突部１５ａが形成されて、組み立てられた状態では、重合突部９ａが底面片１５の内側へ差し込まれて重合され、また、重合突部１５ａは底面片９の内側へ差し込まれて重合されるものである。なお、その他の紙箱として、特許文献１に開示されているようなものがある。
【特許文献１】特開平６−２４４３５号公報
【発明の開示】
【発明が解決しようとする課題】
【０００３】
従来の図１０に示したような紙箱１においては、その内部に医薬品等を入れ、上面側を封止して、例えばスーパーマーケット等で販売される場合に、特に、底面の幅寸法が狭く、長手方向寸法が大の紙箱１においては、底面片９，１５が外側より内側に向かって指等で押圧されると、底面片９，１５が内側へ折れ曲がって、底面片９と底面片１５間の開口線Ｒが大きく開き、その状態で内部の医薬品等が抜き取られてしまう虞があった。
【０００４】
このような事態に鑑み、薬事法施工規則第５９条では、「封を開かなければ医薬品を取り出すことができず、かつ、封を開いた後には容易に現状に復することができないように施さなければならない。」と定められており、これを受けて、「紙箱が一旦開封されれば容易に目視で確認でき、再封しても形跡が残るようにする必要がある。」旨の通達が製薬団体から出されているが、そのためには、例えば図１０の紙箱１の底面にテープ，ラベル等を貼付け、指で押圧等して開封された時には、テープ，ラベル等が切断されて開封した形跡が残るようにする手段がある。
しかし、テープ，ラベルを底面に貼り付けるためには、工程が増えて、コストが高くなってしまうという問題点がある。
【課題を解決するための手段】
【０００５】
本発明は上記従来の問題点に鑑み案出したものであって、一旦開封したら、その形跡が良好に残り、しかも底面が開きにくくなる紙箱を提供せんことを目的とし、請求項１は、前面と背面の底側に形成された一対の底面片に、組み立てられた状態で互いに他方側の底面片に重合する重合突部がそれぞれ形成されてなる紙箱において、前記一対の底面片の少なくとも一方側の前記重合突部には、組立状態で外側より底面が押圧されて開かれた時に損傷を受けて変形する変形片が形成されていることである。
また、請求項２は、前記変形片が、前記重合突部からハーフカット線を介して剥離可能に突出された剥離片であることである。
また、請求項３は、前記剥離片が、一対の底面片のそれぞれの重合突部に、組み立て時に互いに係合できるように突出形成されていることである。
また、請求項４は、前記一対の剥離片の係合部位には切込み状にロック部が形成されていることである。
【発明の効果】
【０００６】
本発明は、前面と背面の底側に形成された一対の底面片に、組み立てられた状態で互いに他方側の底面片に重合する重合突部がそれぞれ形成されてなる紙箱において、一対の底面片の少なくとも一方側の重合突部には、組立状態で外側より底面が押圧されて開かれた時に損傷を受けて変形する変形片が形成されていることにより、一対の底面片の少なくとも一方側の重合突部には変形片が形成され、紙箱の組立状態で外側より底面が指等で押圧されて開かれた時には、この変形片が変形するため、一旦開けると開封したことが容易に目視で確認できるものとなる。
【０００７】
また、変形片が、重合突部からハーフカット線を介して剥離可能に突出された剥離片であることにより、組立状態で外側より底面が指等で押圧されて開かれた時には、重合突部に形成されている剥離片が、ハーフカット線で折り曲げ状態となり良好に剥離されるため、一旦底面を開封した後に再封しても、剥離片の剥離状態で開封した形跡が残ることとなり、開封したことが容易に目視で確認できるものとなる。
【０００８】
また、剥離片が、一対の底面片のそれぞれの重合突部に、組み立て時に互いに係合できるように突出形成されていることにより、一対の剥離片を係合させて組み立てることにより、紙箱の底が開きにくくなる。
【０００９】
また、一対の剥離片の係合部位には切込み状にロック部が形成されていることにより、組立状態で一対の剥離片がロック部で強固な係合状態となるため、指等で押しても開きにくい構造の紙箱となり、無理に押圧した時には、ハーフカット線を介して良好に剥離片が剥離されて、開封したことが容易に目視で確認できるものとなる。
【実施例】
【００１０】
以下、本発明の実施例を図面に基づいて説明する。
図１は、医薬品等の包装箱となる紙箱の展開図である。
図において、紙箱１は、前面片２の左右側に折り曲げ可能に左右の側面片３ａ，３ｂが形成されており、左側の側面片３ａから連続して折り曲げ可能に背面片４が形成され、背面片４の左端側には折り曲げ可能に糊代片５が形成されている。
また、前面片２の上部には折り曲げ可能に上面片６が形成され、上面片６の上端には折り曲げ可能に差込片７が形成されており、また、上面片６の左右側方には、側面片３ａの上端に折り曲げ可能にフラップ片８ａが形成され、側面片３ｂの上端には、折り曲げ可能にフラップ片８ｂが形成されている。
【００１１】
また、前面片２の下端には折り曲げ可能に底面片９が形成されており、この底面片９の左半分は、さらに下方側へ突出した重合突部９ａとなっており、この重合突部９ａの右端側、即ち開口線Ｒから突出した部分にハーフカット線１０を介在させて剥離片１１が形成されている。
また、剥離片１１の開口線Ｒ側には、左側へ鉤状に切り欠いて切込ロック部１２が形成されている。また、底面片９の開口線Ｒの右端側には、外側糊付け片１３が突出形成されている。また、側面片３ｂの下端には、内側糊付け片１４が形成されている。
また、背面片４の下端にも折り曲げ可能に底面片１５が形成されており、底面片１５の左側半分には、さらに下方側へ突出して重合突部１５ａが形成されている。この重合突部１５ａの右端側、即ち開口線Ｒより外側にはハーフカット線１６を介在させて剥離片１７が突出形成されており、剥離片１７の開口線Ｒ側には、切り欠き状に切込ロック部１８が形成されている。また、底面片１５の開口線Ｒの右端には、外側糊付け片１９が形成されており、また、側面片３ａの下端には、内側糊付け片１４が形成されている。
【００１２】
このように形成された紙箱１は、底面側の要部を図２で示すようにして組み立てられるのである。
即ち、前面片２の下端の底面片９の重合突部９ａを、背面片４の下端の底面片１５の内側へ差し込んで重合させ、逆に、底面片１５の重合突部１５ａは、底面片９の内側に差し込んで重合させ、剥離片１１，１７が互いに係合する状態に組み付けてゆき、その後に、内側糊付け片１４を底面片９上に折り曲げて、さらに内側糊付け片１４上に外側糊付け片１３を重ね合わせて、外側糊付け片１３と内側糊付け片１４を糊付けして固定する。
同様に、内側糊付け片２０を底面片１５上に折り曲げて、さらにその外側に外側糊付け片１９を折り曲げて、外側糊付け片１９と内側糊付け片２０を糊付けして固定する。
また、側面では、糊代片５上に側面片３ｂを重ね合わせて両者を糊付けして固定し、箱体に組み付けることができ、組み付けが完了した状態では、図３の要部外観斜視図のように組み立てられる。
【００１３】
なお、図４は、組立状態における紙箱１を内側から見た組付状態平面図である。
即ち、組付状態では、底面片９の重合突部９ａ及び剥離片１１が、底面片１５の開口線Ｒの内側に重合され、底面片１５側の重合突部１５ａ及び剥離片１７は、底面片９側の開口線Ｒの内側に重合されて組み付けられるものであり、組付状態では剥離片１１，１７が切込ロック部１２，１８の係合により強固に係合した状態となり、この図３及び図４の組付状態では、外側から底面を指で押圧しても、切込ロック部１２，１８が食い込んだ状態となり、それ以上、内側へ押すことができず、底面が従来よりも開きにくいものとなり、底面の開封を良好に防ぐことができるものとなる。
なお、この紙箱１は、従来の図１０に示したような紙箱と製造コストは同等なものであり、コスト高となることはない。
【００１４】
前述した剥離片１１，１７は、ハーフカット線１０，１６介して表面側が剥離可能に構成されている。
即ち、図５の縦断面拡大図で示すように、二層構造をなす紙箱１の重合突部９ａに、外側より一層分だけハーフカット線１０を切り込んで形成させておけば、このハーフカット線１０が折り曲げられた時に、良好に剥離片１１の表側が一層分だけ剥離されることとなる。なお、剥離片１７側においても同様な構造である。
【００１５】
なお、図６は、剥離片１１，１７と切込ロック部１２，１８の係合状態を、紙箱１の内側から見た斜視図で示すものである。
このような組立状態において、外側から底面を指で内側に向かって強く押圧した場合、切込ロック部１２と１８の係合が外れると、図７のような半開き状態となるが、その前に、切込ロック部１２と１８が強く係合している状態から内側へ押圧されることにより、剥離片１１，１７が互いに反対方向（幅方向へ開く方向）への力を受け、これにより、ハーフカット線１０，１６介して剥離片１１，１７が箱の内側に向かって折り曲げ力を受けて、図８に箱の内側から見た斜視図で示すように、ハーフカット線１０，１６で剥離片１１，１７が折り曲げられることとなり、折り曲げられた状態でさらに押圧力が外側から箱の内側に向かって加わると、図９の拡大図で示すように、剥離片１１，１７の表側一層が徐々に摩擦力と剥離力を受けて剥離されてゆくこととなる。
【００１６】
このように剥離片１１，１７の表面の一層が剥離された後には、底面を再封しても、剥離片１１，１７の剥離した変形状態は残ることとなり、この剥離片１１，１７の剥離した変形状態を容易に目視で確認することができ、紙箱１の底面が開けられて内部の医薬品等が拭き取られたか、または差し替えられたこと等を容易に確認できるものとなる。
このように底面片９，１５の重合突部９ａ，１５ａの一部に、ハーフカット線１０，１６を介して剥離片１１，１７を形成させておく簡単な構造で、コストを増大させることなく、底が開かれた時には剥離片１１，１７が剥離されることで、開封したことを容易に目視で確認できるものとなる。
【図面の簡単な説明】
【００１７】
【図１】紙箱の展開図である。
【図２】紙箱の底面側を組み立てる過程の要部斜視構成図である。
【図３】紙箱の底面側を組み立てた状態の要部斜視構成図である。
【図４】紙箱の底面側を組み立てた状態での、内側から見た平面構成図である。
【図５】ハーフカット線を介して剥離片が形成されている断面の拡大図である。
【図６】一対の剥離片と切込ロック部の係合状態を箱の内側から見た斜視構成図である。
【図７】底面を指で外側から押圧して半開き状態となった外側から見た要部斜視構成図である。
【図８】剥離片がハーフカット線で折り曲げられた状態の箱の内側から見た斜視構成図である。
【図９】さらに押圧力が外側から加わり、剥離片の表面の一層が剥離されてゆく状態の拡大斜視構成図である。
【図１０】従来の紙箱の全体斜視構成図である。
【符号の説明】
【００１８】
１  紙箱
２  前面片
３ａ，３ｂ  側面片
４  背面片
５  糊代片
９  底面片
９ａ  重合突部
１０  ハーフカット線
１１  剥離片
１２  切込ロック部
１５  底面片
１５ａ  重合突部
１６  ハーフカット線
１７  剥離片
１８  切込ロック部
Ｒ  開口線
【図１】
2005320040.tif 000003
【図２】
2005320040.tif 000004
【図３】
2005320040.tif 000005
【図４】
2005320040.tif 000006
【図５】
2005320040.tif 000007
【図６】
2005320040.tif 000008
【図７】
2005320040.tif 000009
【図８】
2005320040.tif 000010
【図９】
2005320040.tif 000011
【図１０】
2005320040.tif 000012